(57)【特許請求の範囲】
【請求項１】
送信ＯＦＦ電力閾値要求を規定する通信標準に従う無線ネットワークアクセスを提供する様に構成された通信装置であって、
テスト信号制御コンポーネントと、デュプレクサコンポーネントと、無線周波数処理コンポーネントと、を含むハードウェアサブシステムを備えており、
前記無線周波数処理コンポーネントは、
前記デュプレクサコンポーネントの送信側ポートと動作可能に結合される出力を有する送信機チェインと、
関連付けられた信号感度閾値を有し、前記デュプレクサコンポーネントの受信側ポートと動作可能に結合される受信機チェインと、を有し、
前記テスト信号制御コンポーネントは、テスト信号を生成するために前記送信機チェインと協働する様に構成され、
前記テスト信号の部分は、前記デュプレクサコンポーネントにより、前記送信側ポートから前記受信側ポートに漏洩可能であり、
前記テスト信号制御コンポーネントは、前記テスト信号の任意の照射電力が前記送信ＯＦＦ電力閾値要求を満たし、前記テスト信号の漏洩する前記部分が前記受信機チェインの前記信号感度閾値より大きいことを確実にする様に構成される、通信装置。
【請求項２】
請求項１に記載の通信装置であって、
前記ハードウェアサブシステムは、電磁放射送信状態と電磁放射非送信状態とを含み、  前記非送信状態は、送信ＯＦＦ電力閾値を構成する、関連づけられた照射電力天井値を有する、通信装置。
【請求項３】
請求項１又は２に記載の通信装置であって、さらに、
アンテナを備え、
前記テスト信号制御コンポーネントは、前記テスト信号の生成前に非照射制御信号を生成する様に構成される、通信装置。
【請求項４】
請求項３に記載の通信装置であって、
前記ハードウェアサブシステムは、前記非照射制御信号に応答して前記デュプレクサコンポーネントと前記アンテナとを非結合にする様に構成される、通信装置。
【請求項５】
請求項４に記載の通信装置であって、さらに、
別のデュプレクサコンポーネントを備え、
前記ハードウェアサブシステムは、前記非照射制御信号に応答して前記デュプレクサコンポーネントの代わりに、前記別のデュプレクサコンポーネントに前記アンテナを結合にする様に構成される、通信装置。
【請求項６】
請求項１から５のいずれか１項に記載の通信装置であって、
前記テスト信号制御コンポーネントは、前記テスト信号としてトーン信号を生成するために前記送信機チェインと協働する様に構成される、通信装置。
【請求項７】
請求項１から５のいずれか１項に記載の通信装置であって、
前記テスト信号制御コンポーネントは、前記テスト信号として拡散スペクトラム信号を生成するために前記送信機チェインと協働する様に構成される、通信装置。
【請求項８】
請求項１から７のいずれか１項に記載の通信装置であって、
前記テスト信号制御コンポーネントは、前記受信機チェインによる前記テスト信号の受信を制御するために前記受信機チェインと協働する様に構成される、通信装置。
【請求項９】
請求項１から８のいずれか１項に記載の通信装置であって、
前記ハードウェアサブシステムは、さらに、信号強度測定コンポーネントを備え、
前記テスト信号制御コンポーネントは、前記受信機チェインにより受信される前記テスト信号の受信信号電力を測定するために前記信号強度測定コンポーネントと協働する様に構成される、通信装置。
【請求項１０】
請求項９に記載の通信装置であって、
前記テスト信号制御コンポーネントは、システム送信帯域幅内の複数の送信キャリア周波数の複数のテスト信号を生成するために前記送信機チェインと協働し、前記複数の送信キャリア周波数それぞれの漏洩信号電力を測定するために前記信号強度測定コンポーネントと協働する様に構成される、通信装置。
【請求項１１】
請求項１０に記載の通信装置であって、
前記テスト信号制御コンポーネントは、前記複数の送信キャリア周波数それぞれについて、前記デュプレクサコンポーネントにより漏洩される信号電力を示す信号漏洩のプロファイルを生成する様に構成される、通信装置。
【請求項１２】
請求項１から１１のいずれか１項に記載の通信装置であって、
前記ハードウェアサブシステムは、前記ハードウェアサブシステムの動作に関する、動作パラメータ設定の初期値セットと、動作パラメータ設定の非初期値セットとを有し、
動作パラメータ設定の前記非初期値セットは、動作パラメータ設定の前記初期値セットに対して低減された消費電力に関連する、通信装置。
【請求項１３】
請求項１１を引用する請求項１２に記載の通信装置であって、
前記テスト信号制御コンポーネントは、信号漏洩の前記プロファイルを分析し、動作パラメータ設定の前記非初期値セットを適用するかをキャリ周波数毎に決定するために、キャリ周波数間の測定された漏洩信号電力の相対的な差を使用する様に構成される、通信装置。
【請求項１４】
請求項１３に記載の通信装置であって、
前記テスト信号制御コンポーネントは、信号漏洩の前記プロファイルを分析し、測定された最も低い漏洩信号電力を選択し、前記測定された最も低い漏洩信号電力に対して予め決められた電力マージン基準に適合する測定された信号漏洩電力を有する送信キャリア周波数に、動作パラメータ設定の前記非初期値セットを割り当てる様に構成される、通信装置。
【請求項１５】
請求項１から１４のいずれか１項に記載の通信装置であって、さらに、
複数の受信キャリア周波数それぞれの複数の基準受信機利得値と、複数の送信キャリア周波数それぞれの複数の基準送信機電力値と、を格納する様に構成されたデータストアを備えている、通信装置。
【請求項１６】
請求項１０を引用する請求項１５に記載の通信装置であって、
前記テスト信号制御コンポーネントは、前記データストアにアクセスし、前記選択した送信キャリア周波数での前記デュプレクサコンポーネントの分離の推定値を生成するために、選択したキャリ周波数について、前記複数の基準受信機利得値の基準受信機利得値と、前記複数の基準送信機電力値の基準送信機電力値と、測定された前記複数の漏洩信号電力の測定された漏洩信号電力とを使用する、通信装置。
【請求項１７】
請求項１６に記載の通信装置であって、  前記ハードウェアサブシステムは、前記ハードウェアサブシステムの動作に関する、動作パラメータ設定の初期値セットと、動作パラメータ設定の非初期値セットとを有し、
動作パラメータ設定の前記非初期値セットは、動作パラメータ設定の前記初期値セットに対して低減された消費電力に関連する、通信装置。
【請求項１８】
請求項１７に記載の通信装置であって、
前記ハードウェアサブシステムは、予め決められた電力マージン基準に適合する前記デュプレクサコンポーネントの分離の前記推定値に応答して、前記選択したキャリア周波数に動作パラメータ設定の前記非初期値セットを割り当てる様に構成され、
前記予め決められた電力マージン基準は、前記デュプレクサコンポーネントの製造者によって特定される最小分離値の利点を可能にする様に設定される、通信装置。
【請求項１９】
請求項１から１８のいずれか１項に記載の通信装置であって、
前記ハードウェアサブシステムは、ロングタームエボリューション無線通信標準に従う直交周波数分割多重をサポートする、通信装置。
【請求項２０】
請求項１から１８のいずれか１項に記載の通信装置を含むユーザ装置ユニット。
【請求項２１】
請求項１から１８のいずれか１項に記載の通信装置を含む、通信システム。
【請求項２２】
送信ＯＦＦ電力閾値要求を規定する通信標準に従う無線ネットワークアクセスを提供する様に構成された通信装置のデュプレクサコンポーネントの信号漏洩プロファイルを判定する方法であって、
テスト信号制御コンポーネントが、テスト信号の生成を制御することと、
送信機チェインが、前記テスト信号制御コンポーネントに応答して前記テスト信号を生成することと、
前記テスト信号が前記デュプレクサコンポーネントに伝搬することと、
関連付けられた信号感度閾値を有する受信機チェインが、前記デュプレクサコンポーネントに適用された前記テスト信号に応答して前記デュプレクサコンポーネントから漏洩する前記テスト信号の部分を受信することと、
信号強度測定コンポーネントが、前記受信機チェインにより受信される漏洩信号電力を測定することと、
を含み、
前記テスト信号制御コンポーネントは、前記テスト信号の任意の照射電力が前記送信ＯＦＦ電力閾値要求に適合し、前記テスト信号の漏洩される部分が、前記受信機チェインの前記信号感度閾値より大きいことを確実にする、方法。
【請求項２３】
請求項２２に記載の方法であって、さらに、
システム送信帯域幅内の複数の送信キャリア周波数について、前記テスト信号の生成と、その測定を繰り返すことを含む、方法。
【請求項２４】
動作パラメータ設定のセットを割り当てる方法であって、
請求項２３に記載された信号漏洩プロファイルを判定する方法を使用して判定された信号漏洩プロファイルから測定された最も低い漏洩信号電力を特定することと、
送信キャリア周波数を選択することと、
前記選択した送信キャリア周波数に関連付けられた測定された漏洩信号電力が、測定された前記最も低い漏洩信号電力に対する予め決められた電力マージン基準に適合するかを判定することと、
を含む、方法。
【請求項２５】
動作パラメータ設定のセットを割り当てる方法であって、
基準送信電力値にアクセスすることと、
基準受信機チェイン利得値にアクセスすることと、
送信キャリア周波数を選択することと、
請求項２３に記載の信号漏洩プロファイルを判定する方法を使用して信号漏洩プロファイルを生成することと、
前記選択した送信キャリア周波数での前記測定された信号電力と、前記基準送信電力値と、前記基準受信機チェイン利得値とを用いて、前記選択した送信キャリア周波数での前記デュプレクサコンポーネントの動作の分離値を推定することと、
を含む、方法。
【請求項２６】
請求項２５に記載の方法であって、さらに、
製造者が特定した最小分離値に対して信号分離ヘッドルームの利点を利用する、予め決められた電力マージン基準に適合する分離値の前記推定に応答して、前記選択した送信キャリア周波数に動作パラメータ設定の非初期値セットを割り当てることを含み、
動作パラメータ設定の前記非初期値セットは、動作パラメータ設定の初期値セットに対して減少された消費電力に関連付けられる、方法。
【発明の詳細な説明】
【技術分野】
【０００１】
本発明は、例えば、送信ＯＦＦ電力閾値要求を規定する通信標準に従う無線ネットワークアクセスを提供するタイプの通信装置に関する。本発明は、例えば、送信ＯＦＦ電力閾値要求を規定する通信標準に従う無線ネットワークアクセスを提供するタイプの通信システムにも関する。本発明は、さらに、通信装置のデュプレクサの信号漏洩プロファイルを判定する方法にも関し、方法は、例えば、通信標準に従い動作する通信ネットワークでテスト信号を生成するタイプである。
【背景技術】
【０００２】
例えば、しばしば４Ｇ通信システムとしても参照される、ロングタームエボリューション（ＬＴＥ）通信システムといった、直交周波数分割多重法による通信システムは、ユーザ装置（ＵＥ）ユニットと通信でき、発展型ノードＢ（ｅＮｏｄｅＢ）としてしばしば参照される基地局を利用することが知られている。ＵＥユニットは、典型的には、ネットワークインフラストラクチャにより提供される１つ以上のセルラ通信サービスの加入者により使用され、ネットワークインフラストラクチャは、ＵＥのために、地理的領域に渡る無線通信カバレッジを提供する、複数の概念的なセルそれぞれをサポートする、複数のｅＮｏｄｅＢを有する。ｅＮｏｄｅＢ及びＵＥユニットは、モデムを備えた通信装置の例である。
【０００３】
ＵＥユニットにおいて、ベースバンドＩＣ及び無線周波数（ＲＦ）  ＩＣは、共に、上りリンク及び下りリンク通信それぞれに使用される直交周波数分割多重（ＯＦＤＭ）通信法の様々な変形に従う動作をサポートする、送信機チェイン及び受信機チェインを有する送受信機アーキテクチャをサポートする。ＬＴＥ通信システムのため、ＯＦＤＭ法は、例えば、システム送信帯域及びシステム受信帯域といった異なる周波数帯域で同時に送信及び受信を行う周波数分割複信（ＦＤＤ）システムで使用される。このタイプのシステムにおいて、送信信号の電力は、受信機チェインで受信されることが期待される信号の電力より１２０ｄＢ程度高くなる。結果、送信される信号が存在する中で、受信信号を分離できる、高感度な受信機チェインを設計する必要がある。本文脈において、受信機チェインの感度は、所定信号を正しく受信できる最低電力である。この点、感度は、受信機チェインの構造及び設計で決定され、受信機チェインで生成されるノイズ量は、受信機チェインの感度に影響を与える。
【０００４】
ＦＤＤ法を利用する通信システムの送受信機を実現するとき、送信機チェイン及び受信機チェインは、デュプレクサにより分離される。送信機チェインと受信機チェインの両方に接続され、送信機チェインと受信機チェインをアンテナに接続するこのデュプレクサは、送信機チェインと受信機チェインとの間の十分な信号分離を提供することが想定されている。
【０００５】
適切なデュプレクサを実現する多くの技術が存在するが、表面弾性波（ＳＡＷ）フィルタ又はバルク弾性波（ＢＡＷ）フィルタの様な音響共振回路は、デュプレクサのために典型的に使用される技術であり、送信機チェインと受信機チェインとの間の必要な信号分離を提供する。しかしながら、共振回路のプロパティは、共振回路の製造におけるばらつきにより変化することが理解される。さらに、音響共振回路は、経時による周波数ドリフトを起こしやすく、そのライフタイムにおいて共振回路のカットオフ周波数に影響を与え、よって、共振回路を使用するデュプレクサの様なデバイスのカットオフ周波数に影響を与える。この様に、このドリフトは、デュプレクサが提供する信号分離に負の影響を与える。電子デバイス及び回路は、温度変化によるパフォーマンス変動が生じやすいことも知られている。共振回路についてもこの点に違いはなく、共振回路を使用して製造されたデュプレクサは、温度により変化する。
【０００６】
デュプレクサの製造者は、典型的には、そのデュプレクサが達成するパフォーマンスの最小レベルを示す技術仕様を公開している。多くの場合、デュプレクサは、公開されているパフォーマンスの最小レベルを超えることができる。そうではあるが、例えば、第３世代パートナーシッププロジェクト（３ＧＰＰ）のＬＴＥ標準で設定されたパフォーマンス目標に適合する様に設計されるとき、ＬＴＥ標準に従い動作する受信機チェインは、デュプレクサのパフォーマンスの最小レベルをサポートする様に設計される。
【０００７】
結果、特許文献１にある様に、デュプレクサが、デュプレクサの製造者が公開するパフォーマンスの最小レベルを超えて動作していると特定できるとき、ＵＥユニットのＲＦ処理コンポーネントは、ＵＥユニットの動作対象の通信標準により設定されたパフォーマンス目標値に従う無線ネットワークアクセスを提供しながら、より少ない電力を使用する様に再構成され得ることが認識されている。
【先行技術文献】
【特許文献】
【０００８】
【特許文献１】米国特許出願第２０１１／０２９９４３４明細書
【発明の概要】
【発明が解決しようとする課題】
【０００９】
特許文献１に関し、このドキュメントは、ユニバーサル移動通信システム（ＵＭＴＳ）のネットワークアクセスを提供する様に構成されたＵＥユニットを開示している。上述した様に、デュプレクサは、典型的に、デュプレクサの製造者が公開する最小パフォーマンスの仕様より良く動作することを、このドキュメントは認識している。さらに、このドキュメントは、ＵＥユニットの送信機チェイを許容される最大電力レベルでデータ送信を行う様に設定し、デュプレクサから受信機チェインへの信号漏洩を測定することを開示している。開示される技術は、工場テスト及び日和見テストを含み、テストに責任を負うＵＥユニットのサブコンポーネントは、ＵＥユニットがサービス中であり、通信ネットワークにトラフィックに関連する信号を送信できる間、測定を実行するものとして記載されている。しかしながら、その様な通信ネットワークにおいて、送信電力は、ＵＥユニットが通信しているノードＢにより制御され、ノードＢにより指示された電力レベルより強い電力レベルでのＵＥユニットによる信号送信は、ＵＭＴＳ標準、ＬＴＥ標準であればＬＴＥ標準に反し、その様な増加された電力レベルの使用は、ノードＢ／ｅノードＢを、通信ネットワークの他のノードＢ／ｅノードＢからの信号を受信できない状態にする。ＵＥユニットの送受信機の消費電力は、信号漏洩測定に基づく低電力モードに異なるサブ回路を設定することにより制御されると記載されている。設定は予め決定され、送受信機の異なる部分のための異なる設定を有するルックアップテーブルに記録される。
【課題を解決するための手段】
【００１０】
本発明の第１態様によると、送信ＯＦＦ電力閾値要求を規定する通信標準に従う無線ネットワークアクセスを提供する様に構成された通信装置が提供され、通信装置は、テスト信号制御コンポーネントと、デュプレクサコンポーネントと、無線周波数処理コンポーネントと、を含むハードウェアサブシステムを備えており、無線周波数処理コンポーネントは、デュプレクサコンポーネントの送信側ポートと動作可能に結合される出力を有する送信機チェイン部と、関連付けられた信号感度閾値を有し、デュプレクサコンポーネントの受信側ポートと動作可能に結合される受信機チェイン部と、を有し、テスト信号制御コンポーネントは、テスト信号を生成するために送信機チェインと協働する様に構成され、テスト信号の部分は、デュプレクサコンポーネントにより、送信側ポートから受信側ポートに漏洩可能であり、テスト信号制御コンポーネントは、テスト信号の任意の照射電力が送信ＯＦＦ電力閾値要求を満たし、テスト信号の漏洩部分が、受信機チェイン部の信号感度閾値より大きいことを確実にする様に構成される。
【００１１】
ハードウェアサブシステムは、電磁放射送信状態と電磁放射非送信状態とを含み、非送信状態は、送信ＯＦＦ電力閾値を構成し、関連付けられる照射電力天井値を有する。
【００１２】
装置はさらにアンテナを有し、テスト信号制御コンポーネントは、テスト信号の生成前に非照射制御信号を生成する様に構成され得る。
【００１３】
ハードウェアサブシステムは、非照射制御信号に応答してデュプレクサコンポーネントとアンテナとを非結合にする様に構成され得る。
【００１４】
装置は、さらに、別のデュプレクサコンポーネントを有し、ハードウェアサブシステムは、非照射制御信号に応答してデュプレクサコンポーネントの代わりに、アンテナを別のデュプレクサコンポーネントに結合する様に構成され得る。
【００１５】
テスト信号制御コンポーネントは、テスト信号としてトーン信号を生成するために送信機チェインと協働する様に構成され得る。
【００１６】
テスト信号制御コンポーネントは、テスト信号として拡散スペクトラム信号を生成するために送信機チェインと協働する様に構成され得る。
【００１７】
テスト信号制御コンポーネントは、受信機チェインによるテスト信号の受信を制御するために受信機チェインと協働する様に構成され得る。
【００１８】
テスト信号制御コンポーネントは、受信機チェインの受信キャリア周波数設定がテスト信号の送信キャリア周波数に対してオフセットし得る様に、受信機チェインを構成する様に構成され得る。
【００１９】
ハードウェアサブシステムは、さらに、信号強度測定コンポーネントを有し、テスト信号制御コンポーネントは、受信機チェインにより受信されるテスト信号の受信信号電力を測定するために、信号強度測定コンポーネントと協働する様に構成され得る。
【００２０】
テスト信号制御コンポーネントは、システム送信帯域幅内の複数の送信キャリア周波数の複数のテスト信号を生成するために送信機チェインと協働する様に構成され、複数の送信キャリア周波数のそれぞれの漏洩信号電力を測定するために信号強度測定コンポーネントと協働する様に構成され得る。
【００２１】
テスト信号制御コンポーネントは、システム送信帯域幅の送信キャリア周波数に渡りテスト信号の周波数を掃引するために送信機チェインと協働する様に構成され得る。
【００２２】
テスト信号制御コンポーネントは、複数の送信キャリア周波数それぞれについて、デュプレクサコンポーネントによる漏洩信号電力を示す信号漏洩のプロファイルを生成する様に構成され得る。
【００２３】
ハードウェアサブシステムは、ハードウェアサブシステムの動作に関する、動作パラメータ設定の初期値セットと、動作パラメータ設定の非初期値セットとを有し、動作パラメータ設定の非初期値セットは、動作パラメータ設定の初期値セットに対して低減された消費電力に関連し得る。
【００２４】
テスト信号制御コンポーネントは、信号漏洩のプロファイルを分析し、動作パラメータ設定の非初期値セットを適用するかをキャリ周波数毎に決定するために、キャリ周波数間の測定された漏洩信号電力の相対的な差を使用する様に構成され得る。
【００２５】
テスト信号制御コンポーネントは、信号漏洩のプロファイルを分析し、測定された最も低い漏洩信号電力を選択し、測定された最も低い漏洩信号電力に対する所定の電力マージン基準に適合する測定された信号漏洩電力を有する送信キャリア周波数に、動作パラメータ設定の非初期値セット割り当てる様に構成され得る。
【００２６】
測定された最も低い漏洩信号電力は、デュプレクサコンポーネントの製造者により特定される、デュプレクサコンポーネントによりサポートされる最小分離値に対応すると想定され得る。
【００２７】
所定の電力マージン基準は、測定された最も低い漏洩信号電力の所定の電力マージンより大きい、任意の漏洩信号電力であり得る。
【００２８】
装置は、さらに、複数の受信キャリア周波数それぞれの複数の基準受信機利得値と、複数の送信キャリア周波数それぞれの複数の基準送信機電力値と、を格納する様に構成されたデータストアを含み得る。
【００２９】
テスト信号制御コンポーネントは、データストアにアクセスし、選択したキャリア周波数について、選択した送信キャリア周波数でのデュプレクサコンポーネントの分離の推定値を生成するため、複数の基準受信機利得値の基準受信機利得値と、複数の基準送信機電力値の基準送信機電力値と、測定された複数の漏洩信号電力の測定された漏洩信号電力と、を使用する様に構成され得る。
【００３０】
ハードウェアサブシステムは、ハードウェアサブシステムの動作に関する、動作パラメータ設定の初期値セットと、動作パラメータ設定の非初期値セットとを有し、動作パラメータ設定の非初期値セットは、動作パラメータ設定の初期値セットに対して低減された消費電力に関連し得る。
【００３１】
ハードウェアサブシステムは、予め決められた電力マージン基準に適合するデュプレクサコンポーネントの分離の推定値に応答して、選択したキャリア周波数に動作パラメータ設定の非初期値セットを割り当てる様に構成され、予め決められた電力マージン基準は、デュプレクサコンポーネントの製造者によって特定された最小分離値の利点を可能にする様に設定され得る。
【００３２】
ハードウェアサブシステムは、ロングタームエボリューション無線通信標準による直交周波数分割多重をサポートし得る。
【００３３】
本発明の第２態様によると、本発明の第１態様に関する通信装置を含む、ユーザ装置ユニットが提供される。
【００３４】
本発明の第３態様によると、本発明の第１態様に関する通信装置を含む、通信システムが提供される。
【００３５】
本発明の第４態様によると、送信ＯＦＦ電力閾値要求を規定する通信標準に従う無線ネットワークアクセスを提供する様に構成された通信装置のデュプレクサコンポーネントの信号漏洩プロファイルを判定する方法が提供され、方法は、テスト信号制御コンポーネントが、テスト信号の生成を制御することと、送信機チェイン部が、テスト信号制御コンポーネントに応答してテスト信号を生成することと、テスト信号がデュプレクサコンポーネントに伝搬することと、関連付けられた信号感度閾値を有する受信機チェイン部が、デュプレクサコンポーネントに適用されたテスト信号に応答してデュプレクサコンポーネントから漏洩するテスト信号の部分を受信することと、信号強度測定コンポーネントが、受信機チェイン部により受信される漏洩信号電力を測定することと、を含み、テスト信号制御コンポーネントは、テスト信号の任意の照射電力が送信ＯＦＦ電力閾値要求に適合し、漏洩するテスト信号の部分が受信機チェイン部の信号感度閾値より大きいことを確実にする。
【００３６】
方法は、さらに、システム送信帯域幅内の複数の送信キャリア周波数について、テスト信号の生成と、その測定を繰り返すことを含み得る。
【００３７】
本発明の第５態様によると、動作パラメータ設定のセットを割り当てる方法が提供され、方法は、本発明の第４態様に関して上述した信号漏洩プロファイルを判定する方法を使用して判定された信号漏洩プロファイルから測定された最も低い漏洩信号電力を特定することと、送信キャリア周波数を選択することと、選択した送信キャリア周波数に関連付けられた測定された漏洩信号電力が、測定された最も低い漏洩信号電力に対する予め決められた電力マージン基準に適合するかを判定することと、を含む。
【００３８】
本発明の第６態様によると、動作パラメータ設定のセットを割り当てる方法が提供され、方法は、基準送信電力値にアクセスすることと、基準受信機チェイン利得値にアクセスすることと、送信キャリア周波数を選択することと、本発明の第４態様に関して上述した信号漏洩プロファイルを判定する方法を使用して信号漏洩プロファイルを生成することと、選択した送信キャリア周波数での測定された信号電力と、基準送信電力値と、基準受信機チェイン利得値と、を用いて、選択した送信キャリア周波数でのデュプレクサコンポーネントの動作の分離値を推定することと、を含む。
【００３９】
方法は、さらに、製造者が特定した最小分離値に対して信号分離ヘッドルームの利点を利用する、予め決められた電力マージン基準に適合する分離値の推定に応答して、選択した送信キャリア周波数に動作パラメータ設定の非初期値セットを割り当てることを含み、動作パラメータ設定の非初期値セットは、動作パラメータ設定の初期値セットに対して減少された消費電力に関連付けられ得る。
【００４０】
この様に、装置の消費電力を減少させるための他のデバイス設定を利用可能であるかを判定するため、デュプレクサの分離能力のインフィールドテストをサポートする、装置、方法及びシステムが提供され得る。さらに、ネットワークの他の装置の通信に干渉を与えることを避けるため、例えば、ＬＴＥ標準といった通信標準の信号放射要求に適合する方法で測定が行われる。
【００４１】
本発明の少なくとも１つの実施形態について、添付の図面を参照し、例示目的で説明を行う。
【図面の簡単な説明】
【００４２】
【図１】通信ネットワークの部分として動作するユーザ装置ユニットの構成図。
【図２】本発明の実施形態を構成する図１のユーザ装置デバイスの構成図。
【図３】図１のユーザ装置デバイスの送受信機の部分の詳細な構成図。
【図４】本発明の他の実施形態を構成し、図２及び図３の通信装置により利用される信号漏洩プロファイルの判定方法の概要を示すフロー図。
【図５】図４の方法の詳細なフロー図。
【図６】本発明のさらに他の実施形態を構成し、電力を抑えるために図３及び図４の方法を使用して生成されたプロファイルを使用しての動作パラメータ設定のセットを割り当てる第１方法のフロー図。
【図７】動作パラメータ設定のセットを割り当てる第２方法で使用する基準値を生成する方法のフロー図。
【図８】本発明のさらに他の実施形態を構成し、図４の方法を使用して生成されたプロファイルを使用しての動作パラメータ設定のセットを割り当てる第２方法の第１部分のフロー図。
【図９】本発明のさらに他の実施形態の別の部分を構成し、図８の第２方法の第１部分への第２部分のフロー図。
【発明を実施するための形態】
【００４３】
以下の説明において、同一の参照符号は、同様の部分を特定するために使用される。
【００４４】
図１を参照すると、例えば、ロングタームエボリューション（ＬＴＥ）通信システム１００といった、無線通信システムにおいて、通信ネットワークは、地理的領域に渡り、無線通信アクセスを提供する様に構成された複数のセルによりサポートされている。この例において、説明を簡潔にし、かつ簡略化するため、１つのセルのみが示されている。しかしながら、当業者は、通信ネットワークには多数のセルが通常配置されることを理解する。このように、セル１０２は、ＬＴＥ通信システム１００では発展型ノードＢ（ｅＮｏｄｅＢ）１０４として参照される基地局によりサポートされる。ｅＮｏｄｅＢ１０４は、エアインタフェースを介して、例えば、ユーザ装置（ＵＥ）ユニット１０６といった通信装置と、無線で通信できる。ｅＮｏｄｅＢ１０４は、発展型パケットコア（ＥＰＣ）１０８と動作可能に結合（接続）される。しかしながら、説明を簡潔にし、かつ簡略化するため、ＵＥユニット１０６に関して設定した本例において、無線通信ネットワークインフラストラクチャの更なる詳細をここでは述べない。さらに、ここで設定した例は、ＬＴＥ通信システム１００の文脈で述べられるが、当業者は、この例を、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｒｃｏｗａｖｅ  Ａｃｅｓｓ）通信標準及びＷｉＦｉ標準（ＩＥＥＥ  ８０２.１１）に従い動作する通信ネットワークといった、直交周波数分割（ＯＦＤＭ）通信法に従い動作する他の種類の通信ネットワークに適用可能であることを理解する。
【００４５】
この例において、ＬＴＥ標準は、所謂、送信ＯＦＦ電力閾値要求を規定する。これは、デバイスが送信していない、或いは、ＯＦＦ状態であるときにＵＥユニットが照射できる最大送信電力として定義される電力レベルである。３ＧＰＰ  ３６．１０１  ｖ１２．５．０のセクション６．３．３によると、ＵＥユニットが送信を許可されていないとき、或いは、ＵＥユニットがサブフレームを送信していない期間、送信機はＯＦＦ状態とみなされる。不連続送信及び所謂"測定ギャップ"の間、ＵＥユニットは、ＯＦＦ状態であるとみなされない。ＵＥユニットがＯＦＦ状態とみなされるときの１例は、ＵＥユニットがネットワークトラフィックの生成に参加していないときである。閾値は、ＵＥユニットからネットワークへのスプリアス放射が適法なネットワークトラフィック信号に干渉を与えないことを確実にするために設定される。送信ＯＦＦ電力は、総ての遷移期間を除く少なくとも１つのサブフレームの間の平均電力として定量化され、ＬＴＥ標準の上述した部分の表６．３．３．１−１によると、送信ＯＦＦ電力は、−５０ｄＢｍの電力レベルを超えてはならない。
【００４６】
図２によると、ＬＴＥ通信システムで動作するユーザ装置（ＵＥ）デバイス１０６／２００は、処理リソース２０２を有し、この例において、処理リソース２０２は、セルラ通信端末のチップセットである。処理リソース２０２は、送信機チェイン２０４と、受信機チェイン２０６に結合され、送信機チェイン２０４及び受信機チェイン２０６は、以下では、"デュプレクサ"２０８と表記する、デュプレクサコンポーネント２０８に結合される。デュプレクサ２０８は、アンテナ２１０に結合される。
【００４７】
ＵＥユニット２００は、例えば、ＲＡＭ２１２といった揮発性メモリと、例えば、ＲＯＭ２１４といった不揮発性メモリも有し、それぞれは、処理リソース２０２に結合される。処理リソース２０２は、マイクロフォン２１６、スピーカユニット２１８、キーパッド２２０及びディスプレイ２２２にも結合される。上述したＵＥユニット２００のアーキテクチャが、例えば、複数のアンテナといった、他の要素を含むことを当業者は理解するが、説明を簡潔にし、かつ簡略化することを維持するため、その様な追加の要素の詳細については記載しない。
【００４８】
送信機チェイン２０４及び受信機チェイン２０６は、ハードウェアサブシステムによりサポートされる。送信機チェイン２０４及び受信機チェイン２０６は、ＵＥユニット２００のモデムの部分である送受信機の部分である。モデムは、例えば、ＬＴＥ標準で定義される、ＯＦＤＭ通信法に従う無線ネットワークアクセスを提供する様に構成される。ここで設定した例において、用語モデムは、ＯＦＤＭ通信法に従う動作をサポートできる、任意の適切な信号変調及び／又は復調装置を含むものとして理解されるべきである。ハードウェアサブシステムは、他のサブシステムと共に、送信機チェイン２０４及び／又は受信機チェイン２０６に寄与する、ハードウェア要素及び／又はソフトウェア要素の集合である。
【００４９】
図３を参照すると、ＯＦＤＭ通信法に従う様に構成されたハードウェアサブシステム３００は、送信機チェイン２０４及び受信機チェイン２０６をサポートする、ベースバンド集積回路（ＩＣ）（図示せず）及び無線周波数（ＲＦ）ＩＣ３０２を有する。本例において、ベースバンドＩＣ及びＲＦ  ＩＣ３０２の２つの個別のＩＣが利用されているが、当業者は、ＲＦ及びベースバンド処理を単一のＩＣで実行する他の実装が可能であることを理解する。デジタルインタフェース（図示せず）は、ベースバンドＩＣ及びＲＦ  ＩＣ３０２との間の通信のため、それらの間に配置される。ＲＦ  ＩＣ３０２は、ＲＦ処理コンポーネントの例であり、段階的に配置される機能コンポーネントを備えている。同様に、図示していないが、ベースバンドＩＣは、ベースバンド処理コンポーネントの例であり、段階的に配置される機能コンポーネントを備えている。受信機チェインのため、これらベースバンド処理コンポーネントは、中心がキャリア周波数からベースバンド領域の周波数に変換された後、つまり、キャリア周波数が除去された周波数領域に変換された後の入力ＯＦＤＭ信号を処理する。送信機チェインのためにその逆が適用、つまり、アナログドメインに変換され、キャリア周波数にアップコンバートされる前のベースバンド領域の信号が、これらのコンポーネントにより処理される。受信機チェインにおいて、ＲＦ処理コンポーネントは、受信したＯＦＤＭ信号をベースベンド領域の周波数にダウンコンバートするステージに配置された機能コンポーネントである。送信機チェインにおいて、これらは、キャリア信号を、受信した、中心がベースバンド領域の周波数にあるデジタル信号で変調する様に構成された機能コンポーネントである。デジタルインタフェースは、ベースバンド処理コンポーネントとＲＦ処理コンポーネントとの間のインタフェースであり、ＬＴＥ標準下において最小規格の対象であり、例えば、ＯＦＤＭ通信法をサポートするベースバンド処理部とＲＦ処理部との間で、デジタルデータを通信するために提供される。
【００５０】
ここで設定するこの例及び他の例において、ＲＦ処理の一部分のみが示されているが、ＲＦ処理の他のコンポーネントは、当業者には容易に理解され、ここで設定する例で説明される発明の概念の理解に影響しない。よって、その様なコンポーネントの更なる詳細な記載をここでは行わない。ここで設定する例については、よって、テスト信号生成コンポーネント、信号アップコンバージョン、ダウンコンバージョン、変調及び復調コンポーネントについてのみ記載する。この点、ハードウェアサブシステム３００は、例えば、ＡＲＭコアプロセッサの様な処理ユニットといった処理リソース３０４を含み、処理リソースは、送信機チェイン２０４の部分と、受信機チェイン２０６の部分と動作可能に結合される。処理ユニット３０４は、テスト信号制御コンポーネント３０６をサポートする。
【００５１】
処理ユニット３０４と動作可能に結合され、テスト信号制御コンポーネント３０６と通信できる、送信機チェイン２０４の部分の入力は、テスト信号生成コンポーネント３０８と動作可能に結合され、テスト信号生成コンポーネント３０８は、利得制御コンポーネント３１０の入力と動作可能に結合される出力を有し、この例において、利得制御コンポーネント３１０は、デジタル利得コンポーネントであり、第１利得制御入力３１２を有している。この例において、テスト信号生成器３０８は、ベースバンドトーンを生成するトーン生成器である。しかしながら、当業者は、例えば、拡散スペクトラム信号といった他の種類の信号をテスト信号として生成でき、異なる波形が考慮され得ることを理解する。同様に、テスト信号生成器コンポーネント３０８は、メモリ（図示せず）を含む、或いは、メモリと動作可能に結合され、メモリは、適切なデータレートでの送信のためのテスト信号を提供できる、予めプログラムされたサンプルを格納する。同様に、プログラム可能なデジタル信号プロセッサ（ＤＳＰ）を利用できる。
【００５２】
利得制御コンポーネント３１０の出力は、デジタル−アナログ変換器（ＤＡＣ）コンポーネント３１４の入力と動作可能に結合され、ＤＡＣコンポーネント３１４の出力は、送信信号ミキサコンポーネント３１６の送信信号入力と動作可能に結合される。送信信号ミキサコンポーネント３１６は、送信局所発振器信号を受信する、送信局所発信機入力３１８を有する。送信信号ミキサコンポーネント３１６の出力は、ドライバ増幅器コンポーネント３２０の入力と動作可能に結合され、ドライバ増幅器コンポーネント３２０は、第２利得制御入力３２２を有する。この例において、ドライバ増幅器コンポーネント３２０は、アナログドメインで動作する。ドライバ増幅器コンポーネント３２０の出力は、バランコンポーネント３２４の入力と動作可能に結合され、バランコンポーネント３２４の出力は、本例ではアナログドメインで動作する電力増幅器コンポーネント３２６の入力と動作可能に結合される。電力増幅器コンポーネント３２６は、第３利得制御入力３２８を有し、電力増幅器コンポーネント３２６の出力は、デュプレクサスイッチコンポーネント３３０の入力と動作可能に結合される。図示していないが、ハードウェアサブコンポーネントは、異なる周波数帯域で動作する異なる通信ネットワークへのネットワークアクセスをサポートするため、複数のデュプレクサを有し得る。デュプレクサスイッチコンポーネント３３０は、よって、ＵＥユニット２００の要求に応じて、異なるデュプレクサ間でスイッチするファシリティを提供する。デュプレクサスイッチコンポーネント３３０の出力は、デュプレクサ２０８の送信側ポート３２２と動作可能に結合される。デュプレクサ２０８のアンテナ側ポート３３４は、アンテナスイッチコンポーネント３３６の結合ポートと動作可能に結合され、アンテナスイッチコンポーネント３３６の他の接続ポートは、アンテナ２１０と動作可能に結合される。デュプレクサ２０８の受信側ポート３３８は、受信機チェイン２０６と動作可能に結合され、受信機チェイン２０６は、低雑音増幅器コンポーネント３４０を有し、低雑音増幅器コンポーネント３４０は、デュプレクサ２０８の受信側ポート３３８と動作可能に結合される入力を有する。低雑音増幅器コンポーネント３４０の出力は、受信信号ミキサコンポーネント３４２の受信信号入力と動作可能に結合され、受信信号ミキサコンポーネント３４２は、受信局所発信器信号を受信するための受信局所発振器入力３４４を有する。受信信号ミキサコンポーネント３４２の出力は、アナログ−デジタル変換器（ＡＤＣ）コンポーネント３４６の入力と動作可能に結合され、ＡＤＣコンポーネント３４６の出力は、処理ユニット３０４、特に、テスト信号制御コンポーネント３０６と動作可能に結合される。電力測定コンポーネント３４８は、ＡＤＣコンポーネント３４６の出力と動作可能に結合され、ＡＤＣコンポーネント３４６の出力とは別に、テスト信号制御コンポーネント３０６と動作可能に結合される。他の実装において、電力の測定は、処理ユニット３０４内に提供され得る。
【００５３】
ハードウェアサブシステム３００の動作パラメータ設定を割り当てる２つの異なる方法について以下に述べる。しかしながら、変形例は高レベルでは一致し、図４を参照して以下に説明する。
【００５４】
この点、動作パラメータ設定の割り当ては、周期的に実行されることが意図され、割り当て実行の頻度は、ＵＥユニット２００の製造者の設計考察に特有である。さらに、動作パラメータ設定の割り当てと、その様な割り当てに必要な実際の測定は、ＵＥユニット２００の工場テストの間でのみ行われることが意図されるのではなく、"フィールド"で、つまり、ＵＥユニット２００が通信ネットワークに配置されるときに利用され得る。このため、テスト信号制御コンポーネント３０６は、ＵＥユニット２００及び／又は通信ネットワークの通常動作を妨害することなくテストを実行できるＵＥユニット２００の状況条件が満たされているかを判定する（ステップ４００）。本例において、テストは、デュプレクサ２０８の送信側ポート３３２に適用した信号に対応する、デュプレクサ２０８の受信側ポート３３８での電力測定により、デュプレクサ２０８により提供される分離に関し、これは、信号漏洩電力を構成する。状況条件は、例えば、ＵＥユニット２００が工場テスト中といった工場にあるとき、ＵＥユニットの電源投入時、或いは、ＵＥユニット２００の送受信機がアクティブではない、つまり、送信機チェイン２０４が送信ＯＦＦ状態であるときといった、送受信機がトラフィック関連通信動作に含まれていないときであり得る。ＵＥユニットの状況条件がデュプレクサ２０８の信号漏洩電力を測定するのに適切ではないと判定されると、テスト信号制御コンポーネント３０６は、デュプレクサ２０８の信号漏洩電力の測定を実行するのに適切な機会を待ち続ける。しかし、仮にＵＥユニット２０８が、例えば、送受信機が信号トラフィック処理を行っていないときといった、測定の実行に適合できる状況条件にあると判定されると、テスト信号制御コンポーネント３０６は、テストを開始し得る。記載の明確化及び簡略化のため、以下の例は、フィールドでＵＥユニット２００の使用中、送受信機がトラフィック関連信号の処理を行っていないときにデュプレクサ２０８の信号漏洩電力の測定を実行する機会が起きたものとし、その様な状況は、ここで設定する実施形態の利益を良く示す。しかしながら、実施形態は、特に、しかし、限定しないが、ＵＥユニット２００の電源投入時といった、上述した他の状況にも適用可能である。
【００５５】
テスト信号制御コンポーネント３０６がテストを開始すると判定すると、テスト信号制御コンポーネント３０６は、デュプレクサ２０８の信号漏洩のテスト処理を開始・制御する（ステップ４０２）。その後、テスト信号制御コンポーネント３０６は測定を行い、任意の予め決定された、或いは、予め格納されたデータを分析し（ステップ４０４）、その後、テスト信号制御コンポーネント３０６は、ハードウェアサブシステム３００の消費電力を減少させる結果となる、ハードウェアサブシステム３００の動作パラメータ設定を、直接、或いは、間接的に実行する（ステップ４０６）。例えば、テスト信号制御コンポーネント３０６の様なハードウェアサブシステム３００の任意の適切なコンポーネントは、送信機チェイン２０４の電圧制御発振器（ＶＣＯ）の動作電圧の減少を実行でき、これにより、ＶＣＯの消費電力が減少する。予期される最大程度の分離より強い程度の達成された分離の結果として、受信機チェイン２０６は、送信機チェイン２０４からより少ない信号電力を受信するので、修正され得る他のパラメータは、低雑音増幅器コンポーネント３４０の動作電圧であり、その結果、受信機チェイン２０６は、少ない線形性を示す動作モードで動作できる。これは、受信信号ミキサコンポーネント３４２のキャリブレーション要求を減少させることにより、追加的に、或いは、代わりに達成され得る。
【００５６】
ステップ４０２に関し、図５を参照すると、テスト信号制御コンポーネント３０６は、上述した動作パラメータ設定を割り当てる両方法と共通する方法で、信号電力漏洩電力の測定を実行する。この点、テスト信号制御コンポーネント３０６は、アンテナスイッチ３３６に、アンテナ２１０から電力増幅器コンポーネント３２６を切り離すことを指示する（ステップ５００）。本例において、ＵＥユニット２００は、複数の周波数帯域で動作する様に設計されており、電力増幅器コンポーネント３２６の切断は、テスト信号制御コンポーネント３０６が、デュプレクサスイッチコンポーネント３３０に電力増幅器コンポーネント３２６をデュプレクサ２０８に接続し、アンテナスイッチ３３６にアンテナ２１０を他のデュプレクサ（図示せず）に接続する制御信号を発行することにより達成される。テスト信号制御コンポーネント３０６は、その後、受信機チェイン２０６に、テストされているデュプレクサ２０８と接続することを指示する（ステップ５０２）。図３には示されていないが、本例のハードウェアサブシステム３００は、送信機チェイン２０４を異なるデュプレクサの入力に接続し、受信機チェイン２０６を異なるデュプレクサの出力に接続するためのマルチウェイスイッチを有している。
【００５７】
テスト信号制御コンポーネント３０６は、その後、生成されるテストトーンに関して、テスト信号生成器コンポーネント３０８を構成し（ステップ５０４）、テスト信号が提供される。本例において、生成の簡易化と、テスト信号は受信機チェイン２０６により狭帯域フィルタを使用して受信されるという事実により、テスト信号は、トーン信号として選択されており、テスト信号の電力は、可能な限り低くすることができる。しかしながら、上述した様に、例えば、拡散スペクトラム信号といった、他の信号タイプの利用も想定される。
【００５８】
照射された電力の以前の測定は、ラボ測定、製品開発テスト、工場テスト、及び／又は、オンチップキャリブレーションの間に行われる。結果、アンテナ２１０から照射される電力が、上述したネットワークの送信ＯＦＦ電力閾値を超えないことを確実にするため、照射電力に関する以前の測定に基づき、送信機チェイン２０４の利得パラメータが、テスト信号制御コンポーネント３０６により設定される（ステップ５０６）。この点、本例において、第１設定が、利得制御コンポーネント３１０の第１利得制御入力３１２に適用され、第２設定が、ドライバ増幅器コンポーネント３２０の第２利得制御入力３２２に適用され、第３設定が、電力増幅器コンポーネント３２６の第３利得制御入力３２８に適用される。その後、テスト信号制御コンポーネント３０６は、デュプレクサ２０８の受信側ポート３３８に存在するテスト信号のエネルギを測定可能とするために、受信機チェイン２０６を構成する（ステップ５０８）。幾つかの例において、所謂、電圧制御発振器（ＶＣＯ）プリングを回避するため、送信局所発振器の周波数から受信局所発振器の周波数、よって、送信キャリア周波数から受信キャリア周波数をオフセットすることが望ましい。受信機チェイン２０６が構成されると、テスト信号制御コンポーネント３０６は、テスト信号生成器コンポーネント３０８にテスト信号の生成を指示し、受信機チェイン２０４は、デュプレクサ２０８により提供される受信側ポート３３８と送信側ポート３３２との分離の制限により、デュプレクサ２０８の送信側ポート３３２から受信側ポート３３８に漏洩したテスト信号の電力の部分である漏洩テスト信号を受信する。電力測定コンポーネント３４８は、その後、例えば、ＡＤＣコンポーネント３４６からテスト信号制御コンポーネント３０６に通信されたデジタルサンプルの二乗処理と、結果の積算処理により、受信機チェイン２０６により受信された漏洩テスト信号を測定する（ステップ５１０）。この点、測定期間及び測定周波数の帯域幅は、測定期間とフィルタ帯域幅、つまり、テスト信号と背景ノイズとを区別できる能力のトレードオフのバランスを達成する様に、実験及び測定結果から事前に選択される。
【００５９】
この例において、テスト信号の周波数は、ＬＴＥ又は他の標準に従いＵＥユニット２００により利用される送受信周波数帯域内の送信キャリア周波数の範囲を掃引される。結果、テスト信号制御コンポーネント３０６は、テスト信号の周波数が、その生成されるべき総てのキャリア周波数に渡って掃引されたかを判定し（ステップ５１２）、１つ以上のテスト周波数に関してテスト信号を生成する必要が依然としてある場合、テスト信号制御コンポーネント３０６は、テスト信号生成コンポーネント３０８により使用される周波数を更新し（ステップ５１４）、上述したテスト信号生成器３０８を構成するステップと、テスト信号の電力レベルを設定するステップと、受信機チェイン２０６を構成するステップと、信号漏洩を測定するステップ（ステップ５０４から５１０）は、この例においては、システム送信帯域幅の総てのキャリア周波数のテストが完了するまで繰り返される。キャリア周波数の範囲に渡り掃引することにより、信号漏洩電力対周波数のプロファイルが得られる。
【００６０】
図６によると、図５に関して上述した様に行われる測定は、上述した動作パラメータ設定割り当ての第１方法として使用され得る。本例において、テスト信号制御コンポーネント３０６は、プロファイルの総ての測定の中で信号漏洩電力が最も高い周波数を判定するため（ステップ５２２）、キャリア周波数と測定された信号漏洩電力のプロファイルを分析する（ステップ５２０）。信号漏洩電力測定データを使用するため、テスト信号制御コンポーネント３０６の動作は、第１の想定と第２の想定に基づき、第１の想定は、デュプレクサ２０８により提供される信号分離は、実際には、デュプレクサ２０８の製造者により特定される分離レベルの最悪ケースより良いというものであり、第２の想定は、デュプレクサ２０８の分離が、デュプレクサ２０８の製造者の仕様により示される最悪ケースレベルであるときにも、ハードウェアサブシステム３００は、ＬＴＥ標準に従い動作する様に設計されているというものである。
【００６１】
テスト信号制御コンポーネント３０６は、その後、プロファイルの信号漏洩電力測定の分析を開始する。この点、テスト信号制御コンポーネント３０６は、第１キャリア周波数の第１信号漏洩電力を分析し（ステップ５２４）、第１キャリア周波数の第１信号漏洩電力が良いか、つまり、以前に見つけた最も高い信号漏洩電力レベルより低いかを判定する（ステップ５２６）。この例において、このステップは、見つけられた最も高い信号漏洩レベルがそれ自体と比較されるという状態を解決するために利用される。しかしながら、当業者は、例えば、方法における自己比較の可能性を避けるための適切なソフトウェアコードの使用により、このステップを省略できることを理解する。
【００６２】
第１キャリア周波数の信号漏洩電力のレベルが、見つけられた最も高い信号漏洩電力より低くなければ、テスト信号制御コンポーネント３０６は、第１キャリア周波数でのＲＦ信号送信のため、サブシステム３００に動作パラメータ設定の初期値セットを割り当てる（ステップ５２８）。この点、動作パラメータ設定の初期値セットは、利得制御コンポーネント３１０、ドライバ増幅器コンポーネント３２０及び電力増幅器コンポーネント３２６の１つ以上に関連する設定を含み得る。テスト信号制御コンポーネント３０６は、その後、詳細については後述する様に、プロファイルの他のキャリア周波数に動作パラメータ設定のセットの割り当てが必要かを判定する（ステップ５３６）。
【００６３】
代わりに、第１キャリア周波数の信号漏洩電力のレベルが、見つけられた最も高い信号漏洩電力より低いと、テスト信号制御コンポーネント３０６は、第１キャリア周波数の信号漏洩電力のレベルが、見つけられた信号漏洩電力の最も高いレベルより、例えば、５ｄＢといった所定マージンだけ低いかを判定する（ステップ５３０）。所定マージンに適合している、或いは、所定マージンを超えていると、テスト信号制御コンポーネント３０６は、第１キャリア周波数でのＲＦ信号送信のため、サブシステム３００に動作パラメータ設定の初期値ではない（非初期値）セットを割り当てる（ステップ５３２）。この点、動作パラメータ設定の非初期値セットは、利得制御コンポーネント３１０、ドライバ増幅器コンポーネント３２０及び電力増幅器コンポーネント３２６の１つ以上に関連する設定を含み得る。デュプレクサ２０８は製造者により特定されるより高い分離レベルで動作できると考えられる事実の利点を利用する設定で動作パラメータ設定の非初期値セットを構成する結果、サブシステム３００の消費電力を、デュプレクサ２０８の仕様パフォーマンスによるものより減少させる方法で動作させる様に、サブシステム３００を構成することができる。第１キャリア周波数の測定された信号漏洩電力のレベルが所定のマージンに適合しないと、テスト信号制御コンポーネント３０６は、第１キャリア周波数でのＲＦ信号送信のため、動作パラメータ設定の初期値セットを割り当てる（ステップ５３４）。これは、所定の電力マージン基準の評価の例である。
【００６４】
テスト信号制御コンポーネント３０６は、その後、分析すべき信号漏洩電力測定データが残っているかを判定する（ステップ５３６）。信号漏洩電力測定データが残っている場合、テスト信号制御コンポーネント３０６は、後続のキャリア周波数に関する信号漏洩電力測定を継続して分析し（ステップ５３８）、第１キャリア周波数の測定された信号漏洩電力に関して上述した方法での割り当てを実行する（ステップ５２６から５３６）。
【００６５】
動作パラメータ設定を割り当てる他の方法（図７）は、２つのステージ処理の第１ステージとして、上述したプロファイルの信号漏洩電力測定を、デュプレクサ２０８による信号分離を推定するために使用できる絶対信号漏洩電力測定に変換するための、工場又はラボ環境での測定を行うことが必要になる。この点、工場において、例えば、ＵＥユニット２００の製造処理のテストフェーズの間、送信機チェイン２０４は、公知のパラメータ設定を使用して構成され（ステップ５５０）、テスト信号生成器３０８は、テスト信号の生成が指示される。送信されたテスト信号は、例えば、アンテナ２１０の位置に置かれた代表的な電気的負荷に到達する送信電力を測定するといった、適切な公知の測定技術を利用して正確な外部測定装置により測定される（ステップ５５２）。テスト信号制御コンポーネント３０６は、その後の使用のために格納された（ステップ５５４）、送信機チェイン構成パラメータ及び関連する測定結果と共に提供される。その後、受信機チェイン２０６は、公知の構成パラメータを使用して構成される（ステップ５５６）。アンテナ２１０の位置に置いた外部信号生成器を使用することで、テスト信号は、正確な公知電力レベルで生成される（ステップ５５８）。ＵＥユニット２００の外部で生成され、受信機チェイン２０６により受信される正確なテスト信号は、電力測定コンポーネント３４８により測定される（ステップ５６０）。
【００６６】
正確な公知のテスト信号電力レベルと関連する測定結果は、格納（ステップ５６２）とその後の使用のため、テスト信号制御コンポーネント３０６に提供される。
【００６７】
処理の第２ステージ（図８）において、信号漏洩プロファイルを生成するために行われ、周波数により変動する受信漏洩信号の電力の単純な測定である信号漏洩電力測定は、図７に関して上述した様に行われた測定結果を使用して絶対値に変換される。この点、格納された、周波数変化に対して測定される信号漏洩電力は、基準点なしに、単に、プロファイルの相対値を提供する。
【００６８】
結果、テスト信号制御コンポーネント３０６は、プロファイルの第１キャリア周波数の測定された信号漏洩電力レベルにアクセスする（ステップ５７０）。テスト信号制御コンポーネント３０６は、その後、アクセスされた測定信号漏洩電力値のキャリア周波数について、工場で測定された正確な測定送信電力にアクセスし（ステップ５７２）、正確な測定装置を使用して工場で行われた測定値を使用して受信機チェイン２０６の利得を計算する。その後、テスト信号制御コンポーネント３０６は、依然、推定値ではあるが、第１キャリア周波数での測定された信号漏洩電力レベルのより正確な測定値を得るため、受信機チェイン２０６の計算された利得を使用して、測定された信号漏洩電力レベルを正規化する（ステップ５７４）。
【００６９】
その後、読み出された送信電力の正確な測定値を使用し、テスト信号制御コンポーネント３０６は、第１キャリア周波数でのデュプレクサ２０８の分離の推定値を生成するために、テスト信号電力の正確な測定値から、正規化された測定信号漏洩電力を減ずる（ステップ５７６）。推定された分離値及びそれに関連する周波数は、テスト信号制御コンポーネント３０６により格納される（ステップ５７８）。その後、テスト信号制御コンポーネント３０６は、他のキャリア周波数について、絶対分離推定値に変換される他の測定が必要かを判定する（ステップ５８０）。他のキャリア周波数の他の電力測定が必要であると、テスト信号制御コンポーネント３０６は、処理される次のキャリア周波数の次の測定信号漏洩電力にアクセスし（ステップ５８２）、各キャリア周波数でのデュプレクサ２０８の絶対分離推定値を生成するために正確な測定値を使用する上述した処理（ステップ５７２〜５８０）を、絶対分離推定値に変換されるべき信号漏洩電力測定がなくなるまで繰り返す。
【００７０】
図９によると、プロファイルの測定信号漏洩電力レベルをデュプレクサ２０８の絶対分離推定値に変換することで、テスト信号制御コンポーネント３０６は、次に、キャリア周波数に関連する分離推定値に基づき、キャリア周波数それぞれに動作パラメータ設定を割り当てる。この点、テスト信号制御コンポーネント３０６は、プロファイルの第１キャリア周波数について格納された第１分離推定値にアクセスし（ステップ８００）、分離推定値が所定の閾値レベル以下であるかを判定する（ステップ８０２）。これは、所定の電力マージン基準の評価の他の例である。分離推定値が所定の閾値以下の場合、分離推定値は、デュプレクサ２０８の製造者により特定される最小分離値に十分近いと考えられ、ハードウェアサブシステム３００の消費電力を減少させることを試みる、ハードウェアサブシステム３００の動作パラメータ設定を利用するメリットはない。結果、テスト信号制御コンポーネント３０６は、送信機チェイン２０４が第１キャリア周波数を使用するときのために、動作パラメータ設定の初期値セットを割り当てる（ステップ８０４）。テスト信号制御コンポーネント３０６は、以下に詳細を説明する様に、動作パラメータ設定の割り当てが必要な他のキャリア周波数があるかを判定する（ステップ８０８）。一方、推定分離値が、所定の電力マージン基準を満たさない場合、推定分離値は、所定の閾値を超えなければならないことを暗示し、その結果、テスト信号制御コンポーネント３０６は、送信機チェイン２０４が第１キャリア周波数を使用するときにハードウェアサブシステム３００の消費電力を減少させるため、ハードウェアサブシステム３００に動作パラメータ設定の非初期値セットを割り当てる（ステップ８０６）。その後、テスト信号制御コンポーネント３０６は、動作パラメータ設定の割り当てが必要な他のキャリア周波数があるかを判定する（ステップ８０８）。動作パラメータ設定の割り当てが必要な他のキャリア周波数がある場合、テスト信号制御コンポーネント３０６は、プロファイルの次のキャリア周波数の次の分離推定値を読み出し（ステップ８１０）、上述した、デュプレクサ２０８の推定された分離の評価及び動作パラメータ設定の適切なセットの割り当て処理（ステップ８０２〜８０８）を、動作パラメータ設定の割り当てが必要な、プロフィル内のキャリア周波数がなくなるまで繰り返す。
【００７１】
当業者は、上述した実装が、添付の特許請求の範囲の範囲内で考えられる様々な実装の単なる例であることを理解する。実際、当業者は、動作パラメータ設定の初期値セット及び非初期値セットのここでの記述が、利用され得る動作パラメータ設定の唯一のセットと見做すべきではないことを理解する。この点、それぞれが、関連する消費電力の異なる程度を有する動作パラメータ設定の多くの数のセットが提供され、プロファイルデータは多くの閾値で評価され、動作パラメータ設定の異なるセットが、デュプレクサ２０８の製造者により特定される最小分離に関して各キャリア周波数でデュプレクサ２０８により提供される分離の増加程度に応じて、テスト信号制御コンポーネント３０６により割り当てされ得る。
【００７２】
パラメータのセットは、１つ以上のパラメータを含み得ることが理解される。さらに、動作パラメータ設定の初期値セット及び非初期値セットに関して上述した様に、パラメータの数、パラメータの態様、例えば、アナログ又はデジタルは、実装の実用性に応じて選択され得る。
【００７３】
ここでのデュプレクサへの参照は、信号の周波数分離を達成する特定の設計又は技術や、それぞれがデュプレクサに接続される送信機チェインと受信機チェインとの十分な信号分離を提供し、送信機チェインと受信機チェインとを同時にアンテナに接続し、例えば、"ハイブリッドジャンクション"とも呼ばれる任意の適切なコンポーネントに制限する意図はない。
【００７４】
上述した例において、アンテナ２１０は、ＵＥユニット２００の所望の動作周波数帯に応じて多くの利用可能なデュプレクサコンポーネントに接続され、テストされるデュプレクサコンポーネントとアンテナ２１０との分離は、アンテナ２１０をテスト対象ではない異なるデュプレクサコンポーネントに接続することにより達成され得る。しかしながら、例えば、ハードウェアサブシステム３００が単一のデュプレクサコンポーネントを有する他の実施形態において、アンテナスイッチコンポーネント３３６が、テスト対象のデュプレクサコンポーネントとアンテナ２１０とのオープン回路を構成する様に構成され得る。代わりに、アンテナ２１０をデュプレクサコンポーネント２０８から分離できない場合、テスト信号がアンテナ２１０により放射されたときに送信ＯＦＦ閾値を超えない結果となる電力レベルを持たせるテスト信号を生成するため、送信機チェイン２０４の適切に調整可能なパラメータを設定することが必要である。
【００７５】
誤解を避けるために述べると、用語"下りリンク"の使用は、ｅＮｏｄｅＢからＵＥユニットへの通信を参照している。ＵＥユニット２００は、よって、ここで設定した例において、下りリンク受信機チェインを有する。同様に、用語"上りリンク"の使用は、ＵＥからｅＮｏｄｅＢへの通信を参照している。ＵＥユニット２００は、よって、ここで設定した例において、上りリンク送信機チェインを有する。
【００７６】
ＬＴＥ通信標準の文脈で上記例を記載したが、当業者は、ここで設定した例が、最大送信ＯＦＦ電力閾値要求を利用する任意の通信標準に適用可能であることを理解する。
【００７７】
上記実施形態のシステム及び方法は、上述した構造的な部品及びユーザとの相互作用に加えて、コンピュータシステム（特に、コンピュータハードウェア又はコンピュータソフトウェア）、或いは、特別に製造された或いは適合された集積回路で実現され得る。
【００７８】
上述した実施形態の方法は、コンピュータプログラム、或いは、コンピュータプログラムを担持するコンピュータ可読記憶媒体として提供することができ、コンピュータプログラムは、コンピュータ又は他のプロセッサで実行されると、上述した方法を実行させる様に構成される。
【００７９】
用語"コンピュータ可読記憶媒体"は、制限なく、コンピュータ又はコンピュータシステムにより直接的にアクセスされ、読み込まれる任意のメディアを含む。媒体は、フロッピィディスク、ハードディスク格納媒体、磁気テープの様な磁気格納媒体、光ディスク又はＣＤ−ＲＯＭの様な光格納媒体、ＲＡＭ、ＲＯＭ及びフラッシュメモリを含むメモリの様な電気格納媒体、磁気／光格納媒体の様な上述した媒体のハイブリッド及び組み合わせを含み得るが、それらに限定されない。
【００８０】
本発明の特定の例を述べたが、当業者は、多くの等価な修正、バリエーションが可能であることを理解する。よって、上述した本発明の例示的な実施形態は、説明目的であり、制限するものとはみなされない。上述した実施形態の種々の変更が、本発明の精神及び範囲を逸脱することなく行われ得る。
【図１】
0006668458.tif 000002
【図２】
0006668458.tif 000003
【図３】
0006668458.tif 000004
【図４】
0006668458.tif 000005
【図５】
0006668458.tif 000006
【図６】
0006668458.tif 000007
【図７】
0006668458.tif 000008
【図８】
0006668458.tif 000009
【図９】
0006668458.tif 000010